(57)【特許請求の範囲】
【請求項１】
多原色印刷の品管方法であり、下記の工程a)〜g)
a)  印刷原料上にカラー値エリアを設ける
b)  メイン原色のシアン「Ｃ」、紅紫（Ｍ）及び黄（Ｙ）がお互いに結合されてサブ原色を生じる
c)  工程b)に記載されるサブ原色と対応するメイン原色を予め確認された百分比によって重なり印刷する
d)  メイン原色とサブ原色が結合された中性グレートーンカラーグラデーション（ＮＧＴ）を形成させる
e)  黒「Ｋ」ハーフストーン（ＭＧＴ）を参照のモノカラーグレートーンとする
f)  工程d)に形成される中性グレートーンカラーグラデーション（ＮＧＴ）と、工程e)に記載される黒「Ｋ」ハーフストーン（ＭＧＴ）を比較する
g)  カラー値の補正を行うことによって、カラーの変化をコントロールする
を含んており、
かつ、
h) 前記黒の「Ｋ」ハーフトーン（ＭＧＴ）及び印刷作業に設定使用されるサブ原色の数量を相対原色方法を利用して、ＮＧＴダブルグレートーン状にして、１列に並んでカバーされる全体印刷面積を正確且つ緊密に重なり印刷し、作業者にダブルグレートーン値が接近しているかどうかの目測分析に提供して、カラー値の変化を判断でき、
i)  前記カラーグラデーション構造を印刷製品の図案に溶け込まして、必要とするダブルグレートーン（ＭＧＴ）及び（ＮＧＴ）形の図案をデザインし、印刷製品の適当な位置に設置して、目測と計器の比較に使えること多原色印刷の品管方法。
【請求項２】
請求項１において、前記サブ原色は２次原色を一定のカラー値百分比によって対応するメイン原色に入れて、お互いに結合し合って中性グレートーンカラーグラデーション（ＮＧＴ）が形成されることを特徴する多原色印刷の品管方法。
【請求項３】
請求項１において、前記サブ原色は３次原色であり、３次原色に一定のカラー値百分比によって適当量の対応するメイン原色に入れて、お互いに結合させると中性グレートーンカラーグラデーション（ＮＧＴ）が形成されることを特徴とする多原色印刷の品管方法。
【請求項４】
請求項１において、前記サブ原色は順次の４次原色、５次原色及び順次のサブ原色であるが、いずれもメイン原色から生じるもので、順次に対応するメイン原色と予め所定の百分比によって重なり印刷され、お互いに結合し合って中性グレートーンカラーグラデーション（ＮＧＴ）を形成することを特徴とする多原色印刷の品管方法。
【請求項５】
請求項１において、前記デザインに必要とするメイン原色とサブ原色との組み合わせによって生じる中性グレートーンカラーグラデーション（ＮＧＴ）及び黒の「Ｋ」ハーフトーン（ＭＧＴ）に基づき、中性グレーの参照見本を作り出して、生産を行い、印刷作業での目測と計器によるカラー基準との参照比較に使われることを特徴とする多原色印刷の品管方法。
【請求項６】
請求項１において、前記方法は自動スキャナーを利用して、光電方式技術によって、ダブルグレートーン値を収集し、電子カラースキャナーによる循環式リード及び自動化コンピューターソフトウェアを利用してカラーの変化値を算出し、アンバランス状態のカラー値を自動に補正すると同時に、作業者より自動化補正の結果が合格であるかどうかを目測で確認することに視覚的目標を提供する特徴とする多原色印刷の品管方法。
【請求項７】
請求項１において、電子及び光学技術を利用して、参照の中性グレートーン見本と画像スクリーンＲＧＢ２次原色光源カラー値の結合をデザインして、カラー値を調節することによって、中性グレーを形成し、予め設定した見本と目測と計器による参照比較を形成することを特徴とする多原色印刷の品管方法。
【請求項８】
請求項１において、印刷作業に関わりのある使用に選ばれたカラーと図案によって、必要とするカラーグラデーション形状をデザインし、ハーフトーンカラーグラデーションを参照基準とする見本を作り出して、当該カラーグラデーションの形状によってデザインされ、１列に並んでカバーされる印刷面積を正確且つ緊密に重なり印刷できることを特徴とする多原色印刷の品管方法。
【請求項９】
請求項８において、前記自動カラースキャナーによる循環リード及び自動化コンピューターソフトウェアを利用してカラー変化値を算出して、カラー値の自動修正を行うとともに、作業者より自動化補正の結果を目測で確認する視覚的目標を提供することを特徴とする多原色印刷の品管方法。
【請求項１０】
請求項１または８において、前記メイン原色とサブ原色との結合によって生じる中性グレートーンカラーグラデーション（ＮＧＴ）、黒の「Ｋ」ハーフトーン（ＭＧＴ）及びデザインに必要とするカラーと図案デザインによるハーフストーンを利用して、カラーの参照見本を作り出して、モノカラー、一部カラー及びフルカラーを生産プロセスに組み合わせて、印刷作業での目測と計器によるカラー基準との参照比較に使われる特徴とする多原色印刷の品管方法。
【請求項１１】
請求項１または８において、前記参照カラーグラデーションをメイン原色とサブ原色のカラーグラデーション及びデザインに必要とするカラーに取替え、１００％のモノカラーブロック及び予め設定された百分比によるモノカラードットを作り出して、作業者にドット拡大値の附加情報を提供できることを特徴とする多原色印刷の品管方法。
【発明の詳細な説明】
【技術分野】
【０００１】
本発明は印刷の品管方法に関するもので、特に多原色印刷の品管方法に関するものである。
【背景技術】
【０００２】
カラーの理論は一般的に小学校程度のテキストでもはっきり説明されているが、カラー円は最も良く使われる教学ツールとしてカラー理論の説明に使われている。具体的に言うと、天然色は紅紫（Ｍ）、赤（Ｒ）、黄（Ｙ）、緑（Ｇ）、シアン（Ｃ）、青（Ｂ）などの６色に結合されるが、紅紫、黄、シアンのメイン原色は減色法によって形成されるが、各種色のインクやペイントなどの製品に使われており、赤、緑、青のサブ原色は加色法によって形成されるが、電子光学のテレビや、スキャナーなどの製品上に使われている。
【０００３】
上記カラー理論によって、科学者たちは減色法によるフィルターレンズを利用して、メイン原色の紅紫、黄、シアンの三色を分離して、それに黒色を画像増強剤として添加し、これを4色印刷技術の基盤として、今まで使っている。
【０００４】
人工的な画像の色分解には相当高い専門技術が必要とし、すでに設定されたカラーの光学レンズをフィルターレンズとして、フルカラーの画像を紅紫、黄及びシアンの３つのメイン原色に分離している。しかし、伝統的な印刷業では３つのメイン原色の顔料に黒を添加して印刷物を印刷し、あくまでもシミュレーションのフルカラー画像であるので、ただの幅細色区間範囲にしか運行できない。
【０００５】
コンピューター技術の持続的な発展につれ、印刷業では高速コンピューターの運算機能を利用して、データの保存が速くなっており、光学電子デジタル化の色分解を応用することによって、人工による製作の必要がなくなっている。マルチカラー色分解機能や電子フィルターレンズが現れるにつれ、必要とするカラーの周波数を入力するだけで済むようになっている。色の選択は伝統的なＣＭＹメイン原色の範囲をオーバーできるので、デジタルプリント設備は１２の原色及びサブ原色を使って、フルカラーのプリント画面を模擬して、鑑賞させている。このマルチカラーの色分解機能は「ハイファイ」印刷にも使われている。ハイファイ印刷はＣＭＹメイン原色の不足を補正できるので、印刷中サブ原色の赤、緑、青を正確に入れるか、或いは三次原色のシアン＋赤、黄＋緑、紅紫＋青などを入れるか、或いはその中の2組、3組などを入れることによって、画像の結果は単なるメイン原色のＣＭＹで構成された色より更に真実になり、フルカラーの本当の光景を模擬した効果に達成でき、我々の毎日観賞するものと同じく、ハイファイ印刷技術は現在の世界を再現する最高レベルの技術となっている。
【０００６】
印刷生産中、光源上のフルカラー効果を本物のとおり再現させるために、フルカラーの２次及び３次原色を使って生産することができ、ＲＧＢに基づく２次原色は二つのメイン原色の結合によるもので、例えば、赤＝黄＋紅紫（Ｒ＝Ｙ＋Ｍ）、緑＝シアン＋黄（Ｇ＝Ｃ＋Ｙ）及び青＝紅紫＋シアン（Ｂ＝Ｍ＋Ｃ）となっている。伝統的な２次及び３次原色は依然として模擬方式によって発生されるが、スペクトルのデータを利用して正確な２次・３次原色の顔料を作り出すことによって、伝統的な印刷にアナログサブ原色が不足している状態を大きく改善して、本当の景物効果をコピーすることができ、マルチカラー印刷生産ソリューションを調合することができる。
【発明の概要】
【発明が解決しようとする課題】
【０００７】
アナログフルカラー２次原色と３次原色などは、ＣＭＹのメイン原色でフルカラーを模擬したフルカラー画像であり、その中の２つのメイン原色が結合し合うことによって、２次原色ＲＧＢが生み出される。３次原色はメイン原色と２次原色との結合によって表れるもので、それぞれの原色は更に結合してもっと多くの４次原色、５次原色などが表れるが、これによってシミュレーションフルカラー画像が得られる。しかし、当該２、３、４次原色はいずれも人工製作の顔料から来るメイン原色を利用して、天然スペクトルを模擬するので、光源上のフルカラーの効果を本当に再現することができない。そのため、印刷工業では長期間に渡って色の欠けている状態のまま、生産を行っている。
【０００８】
では、「ハイファイ」印刷とは何だろう。ハイファイ印刷は各種色を結合した印刷プロセスであり、カラーのエリアスペースを広げ、本当の景物のカラーともっと接近した効果にコピーすることができ、もっと完璧な境地に達成できる。印刷業界で最も良く使われている６色はＣＭＹＫ＋オレンジ及び緑で、７色はＣＭＹＫ＋ＲＧＢである。
【０００９】
印刷業界で必要とするハイファイ印刷とは何だろう。伝統的なＣＭＹＫに基づく印刷製作技術は、やむを得ず３つのメイン原色の混合によって生じる狭いカラーバンドでの印刷の限界を引き受けるしかない。「ハイファイ」印刷は天然の顔料を利用して、直接天然スペクトル中に必要とするサブ原色で模擬のサブ原色を調合することができるので、ＣＭＹメイン原色のカラー不足の問題を改善することができ、本当の色、本当の光景を再現する最も優れた印刷方法として、各種印刷生産ソリューションに使われている。
【００１０】
マルチカラーの色分解技術はすでに存在するものの、印刷業界では高速の生産中に使われるカラー管理方法はまだなく、操作者が各色のアンバランス状態を目測で観察して、リアルタイムに快速・効果的且つ正確に色量をコントロールすることは極めて難しい。伝統的なＣＭＹＫ電子計器はサブ原色の色量のアンバランス生産を効果的に判断することができない。
【００１１】
印刷業界にて今まで、全面・効果的且つ正確にフルカラーのマルチカラー生産品質の管理システムが欠けている問題を解決するために、本発明ではマルチ原色の印刷品管方法を提供する。
【課題を解決するための手段】
【００１２】
先ずグレーバランス理論から見れば、グレーバランスは原色の予め設定された百分比を使って、重なりプリントによって印刷される。例えば、３つのメイン原色の結合によってシアン、紅紫、黄が形成され、２次原色の赤、緑、青は対応するメイン原色を入れて形成され、３次原色のシアン＋緑、シアン＋青、紅紫＋青、紅紫＋赤、黄＋赤、黄＋緑は対応する２つの原色を入れて形成される。その中の１種又は２種の原色のカラー値が変化すると、当該バランス状態も変わり、グレーバランスのカラーの変化がカラーオーバー又は反対のカラー不足の方向に移る場合は、相対的に原色の方が現れる。
【００１３】
モンソ・カラーバランス理論原理から見れば、天然スペクトル中の原色ＲＧＢ色の赤、緑、青は正確で独特なカラー値を持っており、各二次原色には２つのメイン原色に相当するものが含まれている。もし、それぞれのＲＧＢカラーブロック上に対応するメイン原色を加えると、中性のグレーが形成されるが、これがＷＫＴｏｎｅ中性グレートーン（NGTｓ）であり、各中性グレートーンの組合せ（NGTｓ）は、赤＋シアン、緑＋紅紫、青＋黄となる。任意１つの中性グレートーンの組合せ（NGTｓ）中のユニットCMYRGMのカラーに変化が発生する場合は、グレーバランスのカラーの変化がカラーオーバー又は反対のカラー不足の方向に移る場合、相対的に原色の方が現れる。そのため、ＷＫＴｏｎｅデザインを利用して、（NGTｓ）CMYRGBカラーユニットの予め設定されたハーフトーン百分比の中性グレーバランスの品管目測目標を加えて、設定されたカラー値エリアの中に黒「Ｋ」のハーフトーン（ＭＧＴ）を参照のモノカラーグレートーンとして、全てのＭＧＴとＮＧＴはグレートーンの視覚的比較参照を提供することができ、標準インク濃度の調整によって、精密且つ正確なマルチカラー中性グレーバランス効果を実現することができ、これは7色印刷に使われる。
【００１４】
６色カラー中性グレーバランス品管システムは、７色品管システムと同じ原理となっている。例えば、オレンジ（紅紫＋黄）の３次原色元素を選択する場合、その中には２分の黄と１分の紅紫の原色（２Ｙ＋１Ｍ）が含まれる。モンソ・カラーバランス理論を利用して、適当な対応するメイン原色を入れてグレーバランスの補正を行う。オレンジに１分の紅紫と２分のシアンのメイン原色（１Ｍ＋２Ｃ）を入れると、中性グレーバランス結果（２Ｙ＋１Ｍ）＋（１Ｍ＋２Ｃ）＝（２Ｙ＋２Ｍ＋２Ｃ）＝２（Ｙ＋Ｍ＋Ｃ）が得られるが、これを簡略化するとＮＧＴ（Ｃ＋Ｍ＋Ｙ）となり、これは印刷品管方法の理論である。その他３次原色を設定するＮＧＴも同じ方程式である。
【００１５】
本発明のＷＫＴｏｎｅ（ＨｉＦｉ）の具体的なソリューションとしては、多原色印刷の品管方法を提供することで、印刷原料上にカラー値エリアを設けて、メイン原色のシアン「Ｃ」、紅紫（Ｍ）及び黄（Ｙ）がお互いに結合されて生じるサブ原色と対応するメイン原色を予め確認された百分比によって重なり印刷して、メイン原色とサブ原色が結合された中性グレートーンカラーグラデーション（ＮＧＴ）を形成させ、黒「Ｋ」ハーフストーン（ＭＧＴ）を参照のモノカラーグレートーンとして、メイン原色及びサブ原色との結合によって生じる中性グレートーンカラーグラデーション（ＮＧＴ）を比較して、カラー値の補正を行うことによって、カラーの変化をコントロールする。
【００１６】
本発明において、前記サブ原色は２次原色の赤（Ｒ）、緑（Ｇ）、青（Ｂ）であり、前記対応するメイン原色としては、２次原色赤に対応するメイン原色はシアンで、２次原色緑に対応するメイン原色は紅紫で、２次原色青に対応する原色は黄色であり、２次原色を一定のカラー値百分比によって対応するメイン原色に入れて、お互いに結合し合って中性グレートーンカラーグラデーション（ＮＧＴ）が形成される、多原色印刷の品管方法とする。
【００１７】
本発明において、前記サブ原色は３次原色であり、「３次原色は原色の結合によって生じるもので、メイン原色と２次原色が一定の百分比によって結合されて生じるものである。つまり、シアン＋緑（Ｃ＋Ｇ）、シアン＋青（Ｃ＋Ｂ）、紅紫＋青（Ｍ＋Ｂ）、紅紫＋赤（Ｍ＋Ｒ）、黄＋赤（Ｙ＋Ｒ）、黄＋緑（Ｙ＋Ｇ）」、これらの３次原色に一定のカラー値百分比によって適当量の対応するメイン原色に入れて、お互いに結合させると中性グレートーンカラーグラデーション（ＮＧＴ）が形成される。つまり、シアン＋緑に対応するメイン原色は黄と紅紫で、シアン＋青に対応するメイン原色は紅紫と黄で、紅紫＋青に対応するメイン原色はシアンと黄で、紅紫＋赤に対応するメイン原色は黄とシアンで、黄＋赤に対応するメイン原色は紅紫とシアンで、黄＋緑に対応するメイン原色はシアンと紅紫である、多原色印刷の品管方法とする。
【００１８】
本発明において、前記サブ原色は順次の４次原色、５次原色及び順次のサブ原色であるが、いずれもメイン原色から生じるもので、順次に対応するメイン原色と予め所定の百分比によって重なり印刷され、お互いに結合し合って中性グレートーンカラーグラデーション（ＮＧＴ）を形成する、多原色印刷の品管方法とする。
【００１９】
本発明において、前記黒の「Ｋ」ハーフトーン（ＭＧＴ）及び印刷作業に設定使用されるサブ原色の数量を相対原色方法を利用して、ＮＧＴダブルグレートーン状にして、１列に並んでカバーされる全体印刷面積を正確且つ緊密に重なり印刷し、作業者にダブルグレートーン値が接近しているかどうかの目測分析に提供して、カラー値の変化を判断することができる、多原色印刷の品管方法とする。
【００２０】
本発明において、カラーグラデーション構造を印刷製品の図案に溶け込まして、必要とするダブルグレートーン（ＭＧＴ）及び（ＮＧＴ）形の図案をデザインし、印刷製品の適当な位置に設置して、目測と計器の比較に使える、多原色印刷の品管方法とする。
【００２１】
本発明において、デザインに必要とするメイン原色とサブ原色との組み合わせによって生じる中性グレートーンカラーグラデーション（ＮＧＴ）及び黒の「Ｋ」ハーフトーン（ＭＧＴ）に基づき、中性グレーの参照見本を作り出して、生産を行い、印刷作業での目測と計器によるカラー基準との参照比較に使われる、多原色印刷の品管方法とする。
【００２２】
本発明において、前記方法は自動スキャナーを利用して、光電方式技術によって、ダブルグレートーン値を収集し、電子カラースキャナーによる循環式リード及び自動化コンピューターソフトウェアを利用してカラーの変化値を算出し、アンバランス状態のカラー値を自動に補正すると同時に、作業者より自動化補正の結果が合格であるかどうかを目測で確認することに視覚的目標を提供する、多原色印刷の品管方法とする。
【００２３】
本発明において、電子及び光学技術を利用して、参照の中性グレートーン見本と画像スクリーンＲＧＢ２次原色光源カラー値の結合をデザインして、カラー値を調節することによって、中性グレーを形成し、予め設定した見本と目測と計器による参照比較を形成する、多原色印刷の品管方法とする。
【００２４】
本発明において、印刷作業に関わりのある使用に選ばれたカラーと図案によって、必要とするカラーグラデーション形状をデザインし、ハーフトーンカラーグラデーションを参照基準とする見本を作り出して、当該カラーグラデーションの形状によってデザインされ、１列に並んでカバーされる印刷面積を正確且つ緊密に重なり印刷することができる、多原色印刷の品管方法とする。
【００２５】
本発明において、自動カラースキャナーによる循環リード及び自動化コンピューターソフトウェアを利用してカラー変化値を算出して、カラー値の自動修正を行うとともに、作業者より自動化補正の結果を目測で確認する視覚的目標を提供する、多原色印刷の品管方法とする。
【００２６】
本発明において、メイン原色とサブ原色との結合によって生じる中性グレートーンカラーグラデーション（ＮＧＴ）、黒の「Ｋ」ハーフトーン（ＭＧＴ）及びデザインに必要とするカラーと図案デザインによるハーフストーンを利用して、カラーの参照見本を作り出して、モノカラー、一部カラー及びフルカラーを生産プロセスに組み合わせて、印刷作業での目測と計器によるカラー基準との参照比較に使われる、多原色印刷の品管方法とする。
【００２７】
本発明に記載されている前記グレーバランスの予め設定されたカラー値の百分比は、光学原理において、同じ分量のメイン原色の重なり印刷によって形成される黒色であり、ハーフトーンの条件ではグレーとなる。顔料の原材料は、異なる生産業者によって、原色のカラー値もあるある程度異なっており、統一されていないので、異なる供給業者のカラーを生産に使用する場合、それぞれの原色カラー値の百分比がグレーバランス（ＮＧＴ）に達するまで独立に調整して、黒のハーフトーン（ＭＧＴ）との視覚的比較に使用する。
【００２８】
本発明において、参照カラーグラデーションをメイン原色とサブ原色のカラーグラデーション及びデザインに必要とするカラーに取替え、１００％のモノカラーブロック及び予め設定された百分比によるモノカラードットを作り出して、作業者にドット拡大値の附加情報を提供することができる多原色印刷の品管方法とする。
【発明の効果】
【００２９】
ＷＫＴｏｎｅ（ＨｉＦｉ）の主体機能の多元化は、多種カラーの生産にも適用し、カラーの選択は３原色の制限を受けず、中性グレートーンに構成され、黒を参照色として使っている。当該目測のカラー管理システムは各種印刷に使える。印刷結果は直観的に快速に鑑定でき、リアルタイムに補正できるので、トライアル＆エラー法による欠点を大きく低減できる。
【００３０】
自動スキャナーの循環リード及び自動化コンピューターソフトウェアによるカラー変化値の算出によって、カラー値を自動に補正した後、ＷＫＴｏｎｅ（ＨｉＦｉ）は作業者の補正結果の確認に視覚的目標を提供することができ、作業者と機械との間には「無声」且つ「効果的」なコミュニケーションが実現できる最も優れたシステムとなる。一旦スキャナーの収集データにエラーが発生して自動補正が行われる場合、ＷＫＴｏｎｅ（ＨｉＦｉ）ＮＧＴ又はＭＣＴのカラー値を変化させ、不良印刷品のダブルグレートーン結果の不一致を正面的に再現させて、作業者がアンバランスのダブルグレートーンをリアルタイムに発現することができ、拡大鏡又はその他の計器を使わなくても不良の結果をリアルタイムに判断することができる。
【００３１】
ＷＫＴｏｎｅ（ＨｉＦｉ）は多原色のモノカラー、一部のカラー及びフルカラーを組み合わせた生産製作に使用することができ、簡単な計算方法によって各種カラーのＮＧＴｓを設定して、選択された原色が対応するメイン原色や、２次原色及び３次原色などを利用して中性グレートーンさえ結合すれば、「Ｋ」ＭＣＴを目測の参照として補正に使用することができる。
【００３２】
ＲＧＢに基づく２次原色は電子スクリーン上に使われており、光学運行原理上に適当な電子及び光学フィルターを利用して、参照の中性グレートーン見本をデザインして、画像スクリーンＲＧＢ２次原色光源のカラー値と結合して、カラー値を調整することによって、中性グレートーンとなるが、目測と計器によって予め設定された見本と参照比較することができる。
【００３３】
本発明は、また次のメリットと用途がある。
【００３４】
１．線形図形装置には目測比較に使われる中性グレートーン情報が含まれているが、色収差の検知を簡略化し、カラー調整時間におけるカラーグラデーション参照を短縮することができる。
【００３５】
２．印刷機の状態に欠陥があるかどうかを持続的にモニタリングできる。つまり、印刷の画像重なり、ギアの運行不良、機械磨耗、インクのドロスが印刷画面上についている、インク供給システムのインク供給の不均一、自動カラースキャナーの故障など。
【００３６】
３．カラー参照は同列の放射式に設置され、マッチングのカラーグラデーションの目測記憶が必要せず、作業者は快速且つ正確に色収差の調整を行うことができ、リアルタイムのカラー調整が実現できる。
【００３７】
４．品管装置は見本校正と大量生産に幅広く使われている。
【００３８】
５．品管装置は各種印刷プロセスに幅広く使え、特に平版印刷や、デジタル印刷、デジタルと伝統的なプルーフ及びカラーマグネチック印刷に使われており、各種機械、デジタル電子、デジタルマグネチック印刷工業の用途に使われており、画像スクリーン調整の用途に使われている。
【００３９】
６．ある作業では、異なるグレーバランス値を目標参照とする場合もあるが、作業全体がマッチングの状態でさえあれば、基準グレーバランス値は制限を受けない。
【００４０】
７．ある作業では自分で選んだカラーグラデーションを目標参照とする場合もあるが、作業全体がマッチング状態でさえあれば、それで良い。
【００４１】
８．予め設定されたグレートーンは任意の場所において、印刷作業内容の一部分に整合させることができる。
【００４２】
９．目測の方法を使って、マルチカラーのグレーバランスの品質管理を行い、中性グレーサンプリングのイメージ化を効果的にコントロールして、インク範囲のアンバランスを改善することができる。
【００４３】
１０．簡単なデザインによって、インク調整の際作業者の視覚混乱を減らすことができ、情報オーバーと視覚混乱を避けることができる。
【００４４】
１１．統一的なカラーグラデーション環境条件を提供して、カラー濃度リード設備生産業者に光電方式によって正確にグレートーントーンの変化値を収集させて、全ての作業範囲をカバーさせ、自動スキャナーと自動是正装置を使って、カラー濃度のデータを収集し、作業者は快速且つ正確に行動を取ることができる。
【００４５】
１２．印刷中は、１００％のモノカラーコードを参照とするのではなく、ハーフストーンを参照として、品質管理を行っているので、アンバランスと推定される重なり印刷効果のリード時間を低減することができる。
【００４６】
１３．色の欠けている要素を簡単に識別でき、高価で繁雑なインク濃度リード設備などを使用する必要がない。
【００４７】
１４．ユニバーサルで、多くの管理コントロールシステムと整合でき、快速参照ポイントツールとして使用できる。
【００４８】
１５．中性トーンの変化は選ばれたカラーブロックのバランスが正しくないと言うことを意味する。
【００４９】
１６．中性トーンが印刷ペーパーの間にて快速に変化するすると言うことは、印刷機械に欠陥があるか、或いは印刷材料に特別な変化がある可能性を意味する。
【００５０】
１７．インクの調整はＣＭＹの重なり印刷効果を根拠とする。伝統的な方法は、ただ個別のカラーの標準濃度だけを読取り、お互いに重なり印刷せず、実際の印刷に必要とする重なり印刷の情況を反映するので、インク状態がアンバランスになっても、如何なる兆しもなくなる。
【００５１】
１８．このシステムは作業者とリーダーとの間において、目測の品管目標を構築し、作業者が自動化補正の結果が合格であるかどうかを判断する、「無声」且つ「効果的」なコミュニケーション方法を提供することもできる。
【００５２】
１９．作業に選ばれるカラーや、デザインに必要とするカラーグラデーションの形状は、ハーフトーンのカラーグラデーションに作って参照の標準見本にすることができ、当該カラーグラデーションの形状デザインは大量生産に使える。
【００５３】
２０．電子スクリーンのカラー値調整機能を提供する。適当な電子又は光学技術を利用して、ＲＧＢ２次原色のカラー値調整によって、グレーが形成されるが、予め設定された黒の中性グレーとの参照比較となる。これは、当該スクリーンＲＧＢカラー値バランス調整の結果となる。
【００５４】
２１．各原色と所定のカラーに基づきカラーの参照見本を作り出すことができ、モノカラー、一部カラー及びフルカラーを組み合わせる生産プロセスで生産を行い、印刷作業全体の目測と計器によるカラー基準参照比較に使われる。
【００５５】
２２．装置はソフトウエア形式となっており、デジタルダウンロードの方式で提供することができ、伝統的なフィルム方式で出力することもできる。
【００５６】
２３．印刷中、各カラーのインクエリア/インクキーに対する正確な調整管理を提供することができる。これらの予め設定された図案において、中性グレートーン装置は最大なカバー範囲を提供することができ、つまり、印刷範囲全体における全てのインク情報で、データを中断させる必要がない。
【００５７】
２４．各種ウインクの使用には制限がなく、バランス条件さえちゃんと管理されていれば、如何なるインクでも中性のグレートーンを提供することができる。
【００５８】
２５．リードさえできれば、コントロール装置はなるべくコンパクトにすべきで、高さと幅には制限がない。
【００５９】
２６．スクリーンのインチごとの行数には制限がない。
【００６０】
２７．ハーフトーンスクリーン様式はＡＭ/ＦＭのいずれかを使用することができる。
【００６１】
２８．スクリーンの角度は標準角度を使用し、カラー別に特定のスクリーン角度を設定する必要はない。
【００６２】
２９．予め設定された装置にとって、中性グレートーンの形状と寸法には制限はなく、設備がリードでき、比較の結果が測定さえできれば、ハーフトーンとモノカラーエリアを「Ｋ」グレートーンの上方に設置することができる。
【００６３】
３０．本品管方法において、ダブルグレートーン（ＭＧＴ）及び（ＮＧＴ）画像はお互いに緊密に重なり印刷して、目測比較に備えるべきである。ダブルグレートーン（ＭＧＴ）及び（ＮＧＴ）画像がゲージに合わなく、重なり印刷に成功できなかった場合、ダブルグレートーン画像の間は印刷されていないため、裂け目が形成され、作業物上には白色の線が現れる。逆に、ダブルグレートーン（ＭＧＴ）及び（ＮＧＴ）は重なり印刷規範をオーバーして、重なり印刷が黒色の線になる場合もあり、重なり印刷エラーのメッセージも提供できる。
【図面の簡単な説明】
【００６４】
本発明のＷＫＴｏｎｅ（ＨｉＦｉ）は、対応するメイン原色及びＷＫＴｏｎｅ中性グレーバランスを結合して、中性グレーバランスのマルチカラーコントロールシステムをデザインし、電子又はフィルム図案を作って、各種印刷ソリューション及び作業に使用することができる。図１〜図１０はメイン原色に２次原色を加えた設計図である。図１１〜図２０はメイン原色に３次原色を加えた設定図である。
【図１】モノカラー効果バージョンである。
【図２】カラー効果バージョンである。
【図３】シアン、紅紫、黄、赤、緑、青及び黒の重なり印刷設計図である。
【図４】シアン色の重なり印刷設計図である。
【図５】紅紫色の重なり印刷設計図である。
【図６】黄色の重なり印刷設計図である。
【図７】赤色の重なり印刷設計図である。
【図８】緑色の重なり印刷設計図である。
【図９】青色の重なり印刷設計図である。
【図１０】黒色の設計図である。
【図１１】モノカラー効果バージョンである。
【図１２】カラー効果バージョンである。
【図１３】シアン、紅紫、黄、黄＋赤、シアン＋緑、紅紫＋青及び黒を重なり印刷した設計図である。
【図１４】シアン色の重なり印刷設計図である。
【図１５】紅紫色の重なり印刷設計図である。
【図１６】黄色の重なり印刷設計図である。
【図１７】黄＋赤の重なり印刷設計図である。
【図１８】シアン＋緑の重なり印刷設計図である。
【図１９】紅紫＋青の重なり印刷設計図である。
【図２０】黒色の設計図である。
【図２１】メイン原色とサブ原色の結合原理図である。メイン原色：シアン、紅紫、黄２次原色：赤、緑、青３次原色：シアン＋緑、シアン＋青、紅紫＋青、紅紫＋赤、黄＋赤、黄＋緑
【発明を実施するための形態】
【００６５】
次は添付図に合わせて本発明について更に詳しく説明する。本発明にはＣＭＹＫＲＧＢハーフトーン百分比ドットがデザインされており、ＷＫＴｏｎｅ理論を参照して、予め設定された図案によって、一連の交替、緊密な重なり印刷を通じて、ポジション序列を有するグレートーン比較参照を提供する。「Ｋ」グレートーンは起点となる主な検査参照であり、「Ｃ、Ｍ、Ｙ、ＣＲ、ＭＧ、ＹＢ」に混合されて、中性グレーの目標となる。この参照ツールは長さの制限がなく、印刷物幅全体をカバーすることができ、如何なるカラー情報も中断する必要がなく、効果的な補正を行う昨日を有する。１００％のモノカラーと予め設定された百分比のモノカラードットＣＭＹＲＧＢＫも整合することができ、一部の「Ｋ」グレートーンを代替して、作業者にドット拡大値の附加情報を提供することができる。
【００６６】
ＷＫＴｏｎｅ（ＨｉＦｉ）は独特なカラーバランス機能を有し、負荷オーバーの情報はなく、必要に応じて図案をデザインし、ユーザーに多元化された主体機能を提供する。この装置は複数の原色要素を使用することができ、異なる組合せ方法によって、各種形式別に複数の原色管理方法が構築され、お互いに緊密に重なり印刷され、ＷＫＴｏｎｅ（ＨｉＦｉ）を構成する。
【００６７】
図１は２次原色ＷＫＴｏｎｅ（ＨｉＦｉ）の多原色カラー管理システムのモノカラー効果バージョンである。図２はＣＭＹＲＧＢＫカラーの正確な重なり印刷結果である。図３は機械デザインの合成図である。図４のシアン色、図５の紅紫色、図６の黄色、図７の赤色、図８の緑色、図９の青色（ブルー）及び図１０の黒色は各色分析機械図バージョンをはっきり説明している。各独立カラーのデザインには予め設定されたモノカラーハーフトーン４１、５１、６１、７１、８１、９１及び１０１があって、ＮＧＴ中性グレートーンの整合に使われる。フルカラーの１００％カラーグラデーション４２、５２、６２、７２、８２、９２及び１０２と予め設定された百分比のモノカラードット４３、５３、６３、７３、８３、９３及び１０３は、モノカラー濃度及びドット拡大値の研究に持続的なモニタリングを提供する。最適なバランス印刷効果を得るために、「Ｋ」グレートーンカラーコードと中性グレートーンはお互いに接近させて、トーンを類似にさせ、如何なる過量の「Ｃ」、「Ｍ」、「Ｙ」、「Ｒ」、「Ｇ」、「Ｂ」色混じりによる中性グレートーンのトーン変化もないようにし、グレーバランスの良好な状態を保つことが大切である。
【００６８】
図１１は３次原色ＷＫＴｏｎｅ（ＨｉＦｉ）の多原色カラー管理システムのモノカラー効果バージョンである。図１２はＣＭＹＹｒＣｇＭｂＫカラーの正確な重なり印刷結果である。図１３は機械デザインの合成図である。図１４のシアン色、図１５の紅紫色、図１６の黄色、図１７の黄＋赤色、図１８のシアン＋緑色、図１９の紅紫＋青色（ブルー）及び図２０の黒色は各色分析機械図バージョンをはっきり説明している。各独立カラーのデザインには予め設定されたモノカラーハーフトーン４１、５１、６１、１７１、１８１、１９１及び１０１があって、ＮＧＴ中性グレートーンの整合に使われる。フルカラーの１００％カラーグラデーション４２、５２、６２、１７２、１８２、１９２及び１０２と予め設定された百分比のモノカラードット４３、５３、６３、１７３、１８３、１９３及び１０３は、モノカラー濃度及びドット拡大値の研究に持続的なモニタリングを提供する。最適なバランス印刷効果を得るために、「Ｋ」グレートーンカラーコードと中性グレートーンはお互いに接近させて、トーンを類似にさせ、如何なる過量の「Ｃ」、「Ｍ」、「Ｙ」、「Ｙｒ」、「Ｃｇ」、「Ｍｂ」色混じりによる中性グレートーンのトーン変化もないようにし、グレーバランスの良好な状態を保つことが大切である。
【００６９】
具体的に言って、図３〜図１０及び図１４〜図２０において、各図には当該原色の印刷図案がデザインされており、一連のポジション序列によって、２次原色の図７・図８・図９、３次原色の図１７・図１８・図１９と対応するメイン原色の図４・図５・図６・図１４・図１５・図１６は予め設定された百分比で結合され、メイン原色とサブ原色によって結合された中性グレートーンカラーグラデーション（ＮＧＴ）を形成するが、２次原色中性グレートーンカラーグラデーション（ＮＧＴ）の結合バージョンは次の通りである。図４＋図７（シアン＋赤）、図５＋図８（紅紫＋緑）、図６＋図９（黄＋青）。また、３次原色中性グレートーンカラーグラデーション（ＮＧＴ）の結合バージョンは次の通りである。図１４＋図１５＋図１７（シアン＋紅紫＋黄・赤）、図１５＋図１６＋図１８（紅紫＋黄＋シアン・緑）、図１４＋図１６＋図１９（シアン＋黄＋紅紫・青）。設定されたカラー値エリアにおいて、黒「Ｋ」ハーフトーン（ＭＧＴ）図１０及び図２０は参照のモノカラーグレートーンとして、メイン原色及びサブ原色によって結合された中性グレートーンカラーグラデーション（ＮＧＴ）と比較することになる。図２及び図１２は上記各原色の重なり印刷の完成結果であるが、目測及び計器の参照リードにより比較することによって、カラー値補正が行われ、カラーの変化をコントロールし、さらに作業者に自動化補正が合格であるかどうかを判断する視覚的目標を提供する。図２１はメイン原色とサブ原色の結合原理図である。
【図１】
0005547299.tif 000002
【図２】
0005547299.tif 000003
【図３】
0005547299.tif 000004
【図４】
0005547299.tif 000005
【図５】
0005547299.tif 000006
【図６】
0005547299.tif 000007
【図７】
0005547299.tif 000008
【図８】
0005547299.tif 000009
【図９】
0005547299.tif 000010
【図１０】
0005547299.tif 000011
【図１１】
0005547299.tif 000012
【図１２】
0005547299.tif 000013
【図１３】
0005547299.tif 000014
【図１４】
0005547299.tif 000015
【図１５】
0005547299.tif 000016
【図１６】
0005547299.tif 000017
【図１７】
0005547299.tif 000018
【図１８】
0005547299.tif 000019
【図１９】
0005547299.tif 000020
【図２０】
0005547299.tif 000021
【図２１】
0005547299.tif 000022